(57)【要約】【課題】  使用済み紙おむつを捨てるのに適したゴミ箱であって、臭いもれがなく、衛生的かつ経済的で、操作も簡単で楽なゴミ箱の提供。【解決手段】  底ケース２に本体ケース３が着脱可能にはめ込まれ、本体ケース３の上部には、中蓋４と上蓋５とが設けられる。本体ケース３の上壁１３には、大径円筒面１４と小径円筒面１５とが同一軸線上に形成される。小径円筒面１５には、中蓋４が着脱可能にはめ込まれる。ポリ袋４７は、その口を、小径円筒面１５と中蓋４の円筒体２７との間に挟み込まれて保持される。上蓋５は、合成ゴムから形成され、外周部３３の一部が本体ケース３に係合されて、開閉可能とされる。上蓋５が閉じられた際、上蓋５の円環状フィン３９が本体ケース３の大径円筒面１４に密着する。【選択図】      図８
0003140516.tif 000002
【実用新案登録請求の範囲】
【請求項１】
上方へ開口する有底筒状の底ケースと、
下方へ開口する筒状で、上壁に大径円筒面と小径円筒面とが同一軸線上に形成され、下端部が前記底ケースに着脱可能にはめ込まれる本体ケースと、
弾性材から形成され、前記小径円筒面に着脱可能にはめ込まれる円筒体を有し、この円筒体の内側に、前記本体ケースの内外を仕切る隔壁を有し、この隔壁には、中央部に貫通穴が形成されると共に、この貫通穴から径方向外側へ向けて複数のスリットが形成された中蓋と、
弾性材から形成され、外周部の一部が前記本体ケースに係合され、下方へ向けて円筒部を有し、この円筒部の周側面に円環状フィンを有し、この円環状フィンを前記大径円筒面に密着して、前記本体ケースの上部開口を閉じる一方、前記本体ケースへの係合部まわりに弾性変形させて開かれる上蓋と
を備えることを特徴とするゴミ箱。
【請求項２】
前記中蓋および前記上蓋は、それぞれ合成ゴムにより一体形成されて構成され、
前記上蓋の外周部の一部には、外方へ延出すると共に下方へ延出して、前記本体ケースへの係合部が一体形成され、
この係合部は、前記本体ケースの上壁に形成された被係合部に、弾性変形して係合され、
前記上蓋は、前記円筒部より外方の下壁を、前記本体ケースの上壁に密着すると共に、前記円環状フィンを前記大径円筒面に密着して、前記本体ケースの上部開口を閉じる一方、前記係合部まわりに弾性変形させて開かれる
ことを特徴とする請求項１に記載のゴミ箱。
【請求項３】
前記上蓋の下面中央部に、脱臭剤を収容可能に、カバー蓋が着脱可能に設けられる
ことを特徴とする請求項１または請求項２に記載のゴミ箱。
【請求項４】
前記カバー蓋は、上方へ開口する有底円筒状で、その下壁には、複数の連通穴が形成されており、
前記上蓋の下面には、下方へ延出して円筒状のカバー蓋保持部が一体形成されており、
このカバー蓋保持部に、前記カバー蓋が着脱可能にはめ込まれる
ことを特徴とする請求項３に記載のゴミ箱。
【請求項５】
前記底ケースに取り付けられた前記本体ケース内には、ポリ袋がその口を上方へ向けて配置され、
このポリ袋の上部は、前記中蓋の貫通穴を下方から上方へ通され、その口を開けて、前記本体ケースの小径円筒面と前記中蓋の円筒体との間に、挟み込まれて保持され、
このポリ袋には、使用済みの紙おむつが廃棄される
ことを特徴とする請求項１〜４のいずれか１項に記載のゴミ箱。
【考案の詳細な説明】
【技術分野】
【０００１】
本考案は、臭いをもらさず衛生的に、各種ゴミを収容するゴミ箱に関するものである。特に、使用済みの紙おむつを捨てるのに適したゴミ箱に関するものである。
【背景技術】
【０００２】
おむつの主流が「布おむつ」から「紙おむつ」となって久しいが、高齢化社会を迎え、赤ちゃん用だけでなく、大人用としても、紙おむつの利用が増大している。紙おむつの場合、使用後の処理に問題がある。収集ごみに出すにしても、それまで各家庭でその保管が必要となり、臭気や衛生面での課題がある。
【０００３】
そこで、従来、使用済み紙おむつ専用のゴミ箱が市販されている。ところが、専用のポリ袋カートリッジが必要である上、電気も必要であり高価である。このような事情を考慮し、特開２００３−１１８８０６号公報に開示されるような廃棄物収納容器も提案されているが、部品点数が多く構造が複雑であり、臭気や衛生面でも改善の余地がある。
【０００４】
また、ゴミ箱に入れられた複数の使用済み紙おむつは、最終的にゴミ箱から取り出す必要があるが、この際、従来のいずれのゴミ箱も、その作業性に改善の余地がある。すなわち、産後の女性や、介護者などは、比較的重量のある大量のゴミを高くまで持ち上げなければならなかった。
【考案の開示】
【考案が解決しようとする課題】
【０００５】
本考案が解決しようとする課題は、使用済み紙おむつを捨てるのに適したゴミ箱であって、臭いもれがなく、衛生的かつ経済的で、操作も簡単で楽なゴミ箱を提供することにある。
【課題を解決するための手段】
【０００６】
本考案は、前記課題を解決するためになされたもので、上方へ開口する有底筒状の底ケースと、下方へ開口する筒状で、上壁に大径円筒面と小径円筒面とが同一軸線上に形成され、下端部が前記底ケースに着脱可能にはめ込まれる本体ケースと、弾性材から形成され、前記小径円筒面に着脱可能にはめ込まれる円筒体を有し、この円筒体の内側に、前記本体ケースの内外を仕切る隔壁を有し、この隔壁には、中央部に貫通穴が形成されると共に、この貫通穴から径方向外側へ向けて複数のスリットが形成された中蓋と、弾性材から形成され、外周部の一部が前記本体ケースに係合され、下方へ向けて円筒部を有し、この円筒部の周側面に円環状フィンを有し、この円環状フィンを前記大径円筒面に密着して、前記本体ケースの上部開口を閉じる一方、前記本体ケースへの係合部まわりに弾性変形させて開かれる上蓋とを備えることを特徴とするゴミ箱である。
【０００７】
また好ましくは上記構成に加えて、前記中蓋および前記上蓋は、それぞれ合成ゴムにより一体形成されて構成され、前記上蓋の外周部の一部には、外方へ延出すると共に下方へ延出して、前記本体ケースへの係合部が一体形成され、この係合部は、前記本体ケースの上壁に形成された被係合部に、弾性変形して係合され、前記上蓋は、前記円筒部より外方の下壁を、前記本体ケースの上壁に密着すると共に、前記円環状フィンを前記大径円筒面に密着して、前記本体ケースの上部開口を閉じる一方、前記係合部まわりに弾性変形させて開かれることを特徴とするゴミ箱である。
【０００８】
また好ましくは上記いずれかの構成に加えて、前記上蓋の下面中央部に、脱臭剤を収容可能に、カバー蓋が着脱可能に設けられることを特徴とするゴミ箱である。
【０００９】
また好ましくは上記構成に加えて、前記カバー蓋は、上方へ開口する有底円筒状で、その下壁には、複数の連通穴が形成されており、前記上蓋の下面には、下方へ延出して円筒状のカバー蓋保持部が一体形成されており、このカバー蓋保持部に、前記カバー蓋が着脱可能にはめ込まれることを特徴とするゴミ箱である。
【００１０】
さらに好ましくは上記いずれかの構成に加えて、前記底ケースに取り付けられた前記本体ケース内には、ポリ袋がその口を上方へ向けて配置され、このポリ袋の上部は、前記中蓋の貫通穴を下方から上方へ通され、その口を開けて、前記本体ケースの小径円筒面と前記中蓋の円筒体との間に、挟み込まれて保持され、このポリ袋には、使用済みの紙おむつが廃棄されることを特徴とするゴミ箱である。
【考案の効果】
【００１１】
本考案によれば、臭いもれがなく、衛生的かつ経済的で、操作も簡単で楽なゴミ箱を提供することができる。従って、たとえば使用済み紙おむつを捨てるのに適したゴミ箱とすることができる。
【考案を実施するための最良の形態】
【００１２】
以下、本考案のゴミ箱について、実施例に基づきさらに詳細に説明する。ここでは、使用済み紙おむつを捨てるのに適したゴミ箱について説明するが、紙おむつ以外のものも捨てることができるのは言うまでもない。特に、臭気や衛生面が考慮されるべきゴミの廃棄に適しており、たとえば生ゴミを捨てるのにも利用できる。
【００１３】
図１から図５は、本考案のゴミ箱の一実施例を示す図であり、図１は上蓋を閉じた斜視図、図２は上蓋を開いた斜視図、図３は分解斜視図、図４は縦断面図、図５はその上部拡大図である。本実施例のゴミ箱１は、底ケース２、本体ケース３、中蓋４、上蓋５およびカバー蓋６を備える。以下、これら各部品について、順に説明する。
【００１４】
底ケース２は、ゴミ箱１の底部を構成する部材である。底ケース２は、上方へのみ開口する有底円筒状の容器であり、プラスチックで一体形成される。図４に示すように、底ケース２の周側壁７は、上方へ行くに従って拡径しており、上端部には下方へ延出して円筒状の折返し壁８が一体形成されている。折返し壁８は、下方へ行くに従って拡径しつつ、底壁９よりもやや上方位置まで延出している。折返し壁８の下端部には、径方向外側へ延出して、円環状の受け部１０が一体形成されている。この受け部１０に本体ケース３の下端面が保持されて、底ケース２に本体ケース３が着脱可能に取り付けられる。
【００１５】
本体ケース３は、ゴミ箱１の周側部を構成する部材である。本体ケース３は、下方へ開口する円筒状に形成されており、プラスチックで一体形成される。本体ケース３の周側壁１１は、下方へ行くに従って拡径しており、その傾斜は底ケース２の折返し壁８の傾斜と対応している。本体ケース３は、その下部開口１２が底ケース２の折返し壁８にはめ込まれて、底ケース２に取り付けられる。その際、前述したように、折返し壁８に形成した受け部１０に、本体ケース３の下端面が保持される。
【００１６】
本体ケース３の上壁１３には、本体ケース３の軸線に沿って、段付き円筒部が下方へ凹んで一体形成されている。具体的には、本体ケース３の上壁１３の中央部には、円形状の第一凹穴１４が下方へ凹んで形成されており、その底壁には、円形状の第二凹穴１５がさらに下方へ凹んで形成されている。これにより、上方の第一凹穴１４の周側面にて形成される大径円筒面と、下方の第二凹穴１５の周側面にて形成される小径円筒面とが同一軸線上に形成される。また、第二凹穴１５の底壁の中央部には、第二凹穴１５よりやや小径の上部開口１６が形成される。
【００１７】
本体ケース３の上壁１３の外周部には、図２および図３に示すように、上方への膨出部１７が円環状に一体形成されている。上蓋５を閉じた際には、図１および図４に示すように、円環状の膨出部１７の内側に上蓋５がはまり込むことになる。円環状の膨出部１７には、図３に示すように、径方向に対向した位置に、第一切欠き部１８と第二切欠き部１９とが形成されている。第一切欠き部１８は、円環状の膨出部１７の径方向内側へ開口しており、第二切欠き部１９は、円環状の膨出部１７の径方向内外へ貫通している。第一切欠き部１８の底部には、上蓋５を開閉可能に取り付けるための被係合部２０が設けられている。上蓋５を閉じた際には、図１に示すように、上蓋５のツマミ２１が第二切欠き部１９を通され、ツマミ２１の一部が外方へ突出する。
【００１８】
前述したように、第一切欠き部１８の底部には、上蓋５が取り付けられる被係合部２０が一体形成されている。具体的には、第一切欠き部１８の底部には、図３に示すように、細長い略矩形状の被係合穴２２が上下方向へ貫通して形成されている。そして、この被係合穴２２と対応して、上壁１３の下面には、図５に示すように、略矩形状の被係合筒２３が下方へ僅かに突出して一体形成されている。この被係合筒２３の下端部には、切欠き２４が形成されている。
【００１９】
本体ケース３の周側壁１１の上部には、本体ケース３の径方向に対向した二か所に、それぞれ取っ手２５が設けられる。本実施例の取っ手２５は、軸線を水平に配置される略円柱状とされ、本体ケース３の周側壁１１の外面に、周側壁１１の内面側からネジ２６（図４）にて取り付けられる。
【００２０】
図６は、中蓋４を示す図であり、（Ａ）は平面図、（Ｂ）はそのＸ−Ｘ断面図、（Ｃ）は底面図である。中蓋４は、合成ゴムなどの弾性材から一体形成される。本実施例の中蓋４は、本体ケース３の第二凹穴１５に着脱可能にはめ込まれる円筒体２７を有する。すなわち、円筒体２７は、本体ケース３の第二凹穴１５に弾性変形して、気密状態にはめ込まれる。この円筒体２７の上端部内側には、本体ケース３への中蓋４の取付状態において本体ケース３の内外を仕切る隔壁２８が一体形成されている。この隔壁２８は、中蓋４の径方向内側へ行くに従って下方へ円弧状に凹んで形成される。
【００２１】
隔壁２８には、その中央部に貫通穴２９が形成されると共に、この貫通穴２９から径方向外側へ向けて複数のスリット３０が形成される。本実施例では、周方向等間隔に四つのスリット３０が形成される。これにより、円筒体２７の側から径方向内側へ延出して四つの舌片３１が形成されることになる。そして、各舌片３１の先端部は、円弧状に形成されている。各舌片３１を構成する隔壁２８の底面には、それぞれ複数のリブ３２が放射状に一体形成されている。各リブ３２は、中蓋４の径方向内側へ行くに従って、幅および高さが小さくなるように形成されている。
【００２２】
図１から図５に示すように、上蓋５は、上方へ球面状に緩やかに膨出する円形状に形成されており、合成ゴムなどの弾性材で一体形成される。上蓋５の外周部の一部には、本体ケース３への係合部３３が一体形成されている。具体的には、上蓋５の外周部の一部には、径方向外側へ延出して水平片３４が形成されると共に、その下部に下方へ延出して略矩形状の垂直片３５が形成されている。この垂直片３５の上下方向中途部には、段部３６が形成されている。
【００２３】
そして、上蓋５の垂直片３５が、本体ケース３の被係合部２０にはめ込まれる。その際、垂直片３５に形成した段部３６が、本体ケース３の被係合筒２３の切欠き２４に弾性変形して係合される。これにより、本体ケース３の上面に、上蓋５が脱落不能に取り付けられる。しかも、上蓋５は、弾性材から形成されるので、係合部３３を弾性変形させることで、開閉可能とされる。また、開いた状態の上蓋５から手を離すと、上蓋５は復元力により本体ケース３の上壁１３に重なるよう自動的に閉鎖される。
【００２４】
上蓋５には、係合部３３と直径方向に対向した位置に、径方向外側へ延出してツマミ２１が一体形成されている。また、上蓋５の下部には、円環状の水平壁（下壁）３７が形成されており、その水平壁３７の径方向内側には、垂直下方へ延出して円筒部３８が一体形成されている。そして、この円筒部３８の下端部には、径方向外側へ延出して、円環状フィン３９が一体形成されている。この円環状フィン３９は、上蓋５を閉じた際、大径円筒面（第一凹穴）１４に密着する。またその際、水平壁３７の下面が、本体ケース３の上壁１３の上面に密着する。
【００２５】
上蓋５の中央部下面には、下方へ延出して円筒状のカバー蓋保持部４０が一体形成されている。このカバー蓋保持部４０には、カバー蓋６が着脱可能にはめ込まれる。図７は、カバー蓋６を示す図であり、（Ａ）は底面図、（Ｂ）は正面図、（Ｃ）はＹ−Ｙ断面図である。
【００２６】
図５および図７に示すように、カバー蓋６は、プラスチックにより一体形成され、上方へ開口する有底円筒状で、その下壁４１には複数の連通穴４２が形成されている。カバー蓋６は、カバー蓋保持部４０にはめ込まれて保持される。この際、カバー蓋保持部４０の下端部に形成した円環状突部４３が、カバー蓋６の周側面下部に形成した円環状溝４４に弾性変形して係合される。カバー蓋６には、周方向の一部に、外方へ延出してツマミ４５が一体形成されている。
【００２７】
カバー蓋保持部４０とカバー蓋６とで形成される中空部内には、脱臭剤４６が収容可能である。これにより、上蓋５の下面中央部に、脱臭剤４６を収容して使用することができる。
【００２８】
図８から図１０は、本実施例のゴミ箱１の使用状態を時系列に示す概略縦断面図である。本実施例のゴミ箱１は、図８に示すように、内部にポリ袋４７をセットして使用される。ポリ袋４７は、いわゆるビニール袋と呼ばれるもので足り、市販のポリ袋の他、スーパーのレジ袋などを利用することもできる。
【００２９】
ポリ袋４７は、その口を上方へ向けて、底ケース２と本体ケース３とで形成される中空部内に配置される。その際、ポリ袋４７の上部は、中蓋４の貫通穴２９を下方から上方へ通され、その口を開けて、本体ケース３の小径円筒面（第二凹穴）１５と中蓋４の円筒体２７との間に、挟み込まれて保持される。
【００３０】
使用済み紙おむつ４８を捨てる際には、図９に示すように、上蓋５を開けた状態で、中蓋４の隔壁２８を弾性変形させて、ポリ袋４７内に紙おむつ４８を押し込めばよい。ポリ袋４７内に紙おむつ４８が落下すると、中蓋４は弾性力で元の状態に復元し、図８に示すように、ポリ袋４７の口を閉めるよう作用する。
【００３１】
また、上蓋５から手を離すと、上蓋５も弾性力で元の状態に復元し、図８に示すように、本体ケース３の上部開口を閉じる。上蓋５が閉じられた状態では、上蓋５の円筒部３８が本体ケース３の第一凹穴１４へ突入し、その大径円筒面に円環状フィン３９が密着する。さらに、上蓋５は、合成ゴムなどで形成されることもあって、その重量によっても閉鎖方向へ作用する。そして、本実施例では、上蓋５の水平壁３７の下面が、本体ケース３の上壁１３の上面に密着する。このようにして、ゴミ箱１の外への臭いもれを防止しつつ衛生的に、使用済み紙おむつを捨てることができる。しかも、上蓋５の下面中央部に脱臭剤４６をセットしておけば、臭気もれを一層確実に図ることができる。
【００３２】
紙おむつ４８が捨てられたポリ袋４７をゴミ箱１から取り出すには、上蓋５を開けた状態で、中蓋４を本体ケース３から上方へ取り外して、ポリ袋４７の口を中蓋４から取り外して結べばよい。その後、図１０に示すように、底ケース２に対し本体ケース３を上方へ持ち上げて、ポリ袋４７を取り出すことができる。従って、本実施例のゴミ箱１では、従来のゴミ箱１のように、比較的重量のある使用済み紙おむつ４８を、ゴミ箱１の上部まで持ち上げる必要がない。このことは、産後の女性や、高齢の介護者にとって、非常に扱い易いものといえる。
【００３３】
本考案のゴミ箱１は、前記実施例の構成に限らず、適宜変更可能である。たとえば、前記実施例では、上蓋５に脱臭剤４６を取り付けると説明したが、この脱臭剤４６は、消臭剤や芳香剤であってもよい。すなわち、本考案でいう脱臭剤とは、文字どおりの脱臭剤の他、消臭剤または芳香剤をも含む概念である。
【００３４】
また、前記実施例では、底ケース２および本体ケース３を円筒状としたが、これらは円筒状に限らず、場合によっては角筒状としてもよい。また、同様に、上蓋５などの形状も適宜変更可能なことは言うまでもない。
【図面の簡単な説明】
【００３５】
【図１】本考案のゴミ箱の一実施例を示す斜視図であり、上蓋を閉じた状態を示している。
【図２】図１のゴミ箱の上蓋を開いた状態を示す斜視図である。
【図３】図１のゴミ箱の分解斜視図である。
【図４】図１のゴミ箱の縦断面図である。
【図５】図４の上部拡大図である。
【図６】図１のゴミ箱の中蓋を示す部品図であり、（Ａ）は平面図、（Ｂ）はそのＸ−Ｘ断面図、（Ｃ）は底面図である。
【図７】図１のゴミ箱のカバー蓋を示す部品図であり、（Ａ）は底面図、（Ｂ）は正面図、（Ｃ）はＹ−Ｙ断面図である。
【図８】図１のゴミ箱の使用状態を示す概略縦断面図であり、ポリ袋をセットして上蓋を閉じた状態を示している。
【図９】図１のゴミ箱の使用状態を示す概略縦断面図であり、上蓋を開いてポリ袋に使用済み紙おむつを捨てる際の状態を示している。
【図１０】図１のゴミ箱の使用状態を示す概略縦断面図であり、使用済み紙おむつを収容したポリ袋を取り出す状態を示している。
【符号の説明】
【００３６】
１  ゴミ箱
２  底ケース
３  本体ケース
４  中蓋
５  上蓋
６  カバー蓋
８  折返し壁
１０  受け部
１２  下部開口
１３  上壁
１４  第一凹穴（大径円筒面）
１５  第二凹穴（小径円筒面）
１６  上部開口
２０  被係合部
２２  被係合穴
２３  被係合筒
２４  切欠き
２７  円筒体
２８  隔壁
２９  貫通穴
３０  スリット
３１  舌片
３３  係合部
３４  水平片
３５  垂直片
３７  水平壁（上蓋の下壁）
３８  円筒部
３９  円環状フィン
４０  カバー蓋保持部
４１  下壁
４２  連通穴
４６  脱臭剤
４７  ポリ袋
４８  紙おむつ
【図１】
0003140516.tif 000003
【図２】
0003140516.tif 000004
【図３】
0003140516.tif 000005
【図４】
0003140516.tif 000006
【図５】
0003140516.tif 000007
【図６】
0003140516.tif 000008
【図７】
0003140516.tif 000009
【図８】
0003140516.tif 000010
【図９】
0003140516.tif 000011
【図１０】
0003140516.tif 000012